(57)【要約】【課題】  球反発体の交換容易化を図る。【解決手段】  汚れや弾性劣化に起因して、ゴムのような弾性材からなる球反発体１６の取付姿勢を変更する場合、遊技盤１の取り付けられた遊技機枠の前面パネル３１を前側に開き、作業者が球反発体１６を手で掴んで前側に引くことで、遊技盤１の外レール５や盤面飾りおよび遊技領域Ａに傷を付けずに、球反発体１６を遊技盤１から容易に取り外すことができる。その後、作業者が取り外した球反発体１６を手で持ち、それまで使用していた１つの平行側面２３である球反発面に代わり新しい球反発面としてもう１つの平行側面２４を入れ替えるように、球反発体１６の取付姿勢を遊技盤１の遊技領域Ａに沿う平面内で１８０度回転させ、球反発体１６の凸部２２を凹部２１に圧入することで、新しい球反発面である平行側面２４が球と衝突するように、球反発体１６が遊技盤１に取り付けられる。【選択図】        図１
2005130936.tif 000002
【特許請求の範囲】
【請求項１】
ガイドレールに沿って発射された球の衝突で当該球を跳ね返す球反発体に取付部を設け、ガイドレールで囲まれた内側の遊技領域に取付部を設け、球反発体の取付部と遊技領域の取付部とが遊技領域の前側から互いに結合されることで、球反発体が遊技領域に着脱可能に取り付けられたことを特徴とするパチンコ機の遊技盤。
【請求項２】
球反発体の取付部が凸部または凹部または取付孔であり、遊技領域の取付部が凹部または凸部または釘であることを特徴とする請求項１記載のパチンコ機の遊技盤。
【請求項３】
ガイドレールに沿って発射された球の衝突で当該球を跳ね返す球反発体に取付部を設け、ガイドレールから外側の非遊技領域に取り付けられる盤面飾りにガイドレールで囲まれた内側の遊技領域に突出する取付部を設け、球反発体の取付部と盤面飾りの取付部とが遊技領域の前側から互いに結合されることで、球反発体が遊技領域に着脱可能に取り付けられたことを特徴とするパチンコ機の遊技盤。
【請求項４】
球反発体の取付部が凸部または凹部または取付孔であり、盤面飾りの取付部が凹部または凸部または盤面飾りに装着される取付具であることを特徴とする請求項３記載のパチンコ機の遊技盤。
【請求項５】
盤面飾りの取付部が開閉可能に形成されたことを特徴とする請求項３記載のパチンコ機の遊技盤。
【請求項６】
球反発体が複数の球反発面を備え、球反発体の取付部と遊技領域の取付部または盤面飾りの取付部とが、球反発体の取付姿勢を変更することで、複数の球反発面の１つを交換して使用し得る、対称形に形成されたことを特徴とする請求項１または請求項３記載のパチンコ機の遊技盤。
【請求項７】
球反発体が遊技盤の取り付けられる遊技機枠の開閉可能で閉じられた前面パネルに接触する受部を備えたことを特徴とする請求項１または請求項３記載のパチンコ機の遊技盤。
【発明の詳細な説明】
【技術分野】
【０００１】
本発明は、ガイドレールに沿って発射された球の衝突で当該球を跳ね返す球反発体の交換が前側から容易なパチンコ機の遊技盤に関する。
【背景技術】
【０００２】
パチンコ機の遊技盤では、跳ね返りゴムまたはストッパとも呼ばれる球反発体が盤面飾りに取り付けられ、この盤面飾りがガイドレールの外レールと内レールとの切れ目に配置されるようにガイドレールの外側の非遊技領域に釘や木ねじで固定されることによって、球反発体が外レールに沿って発射された球の衝突で当該球を内レールに沿ってアウト口の方向に行かないように跳ね返し、遊技領域に特有の球の飛び方や流れ方を形成している。しかしながら、球反発体が遊技領域に固定的に取り付けられているので、発射機構からガイドレールに沿って遊技領域に発射された直後の勢いの強い球が球反発体の同じ球反発面に衝突し、繰り返される球の衝突で球反発面に汚れや弾性劣化を生じる。そして、球反発面に汚れや弾性劣化が生じた場合、見栄えが悪くなるうえ、球反発体で形成される特有の球の飛び方や流れ方が変わるという問題がある。そこで、汚れや弾性劣化の生じた古い球反発体を新しい球反発体に交換する場合、盤面飾りを遊技盤から取り外す必要がある。けれども、盤面飾りが遊技盤に釘や木ねじで固定されているので、盤面飾りとガイドレールおよび遊技領域に傷を付けないように、盤面飾りを遊技盤から取り外すには、多大な労力と時間を要する欠点がある。
【特許文献１】特開平８−１９１９２９号公報
【特許文献２】特開２００３−７１０７４号公報
【発明の開示】
【発明が解決しようとする課題】
【０００３】
発明が解決しようとする問題点は、球反発体が遊技盤の前側から容易に交換できないという点である。
【課題を解決するための手段】
【０００４】
本発明のパチンコ機の遊技盤は、ガイドレールに沿って発射された球の衝突で当該球を跳ね返す球反発体に取付部を設け、ガイドレールで囲まれた内側の遊技領域に取付部を設け、球反発体の取付部と遊技領域の取付部とが遊技領域の前側から互いに結合されることで、または、ガイドレールに沿って発射された球の衝突で当該球を跳ね返す球反発体に取付部を設け、ガイドレールから外側の非遊技領域に取り付けられる盤面飾りにガイドレールで囲まれた内側の遊技領域に突出する取付部を設け、球反発体の取付部と盤面飾りの取付部とが遊技領域の前側から互いに結合されることで、球反発体が遊技領域に着脱可能に取り付けられたことを最も主要な特徴とする。球反発体の取付部が凸部または凹部または取付孔であり、遊技領域の取付部が凹部または凸部または釘であったり、球反発体の取付部が凸部または凹部または取付孔であり、盤面飾りの取付部が凹部または凸部または盤面飾りに装着される取付具であったり、盤面飾りの取付部が開閉可能に形成されたり、球反発体が複数の球反発面を備え、球反発体の取付部と遊技領域の取付部または盤面飾りの取付部とが、球反発体の取付姿勢を変更することで、複数の球反発面の１つを交換して使用し得る、対称形に形成されたり、球反発体が遊技盤の取り付けられる遊技機枠の開閉可能で閉じられた前面パネルに接触する受部を備えたりすることも特徴とする。
【発明の効果】
【０００５】
本発明のパチンコ機の遊技盤は、球反発体の取付部と遊技領域の取付部または盤面飾りの取付部とが遊技領域の前側から互いに結合されることによって、球反発体が遊技盤の前側から容易に交換できるという利点がある。また、球反発体の取付部が凸部または凹部または取付孔であり、遊技領域の取付部が凹部または凸部または釘であれば、または、球反発体の取付部が凸部または凹部または取付孔であり、盤面飾りの取付部が凹部または凸部または盤面飾りに装着される取付具であれば、圧入による嵌合で球反発体に対する保持力を確保することができるという利点がある。また、盤面飾りの取付部が開閉可能に形成されれば、球反発体の取付構造を盤面飾りの取付部で隠すことができるという利点がある。また、球反発体が複数の球反発面を備え、球反発体の取付部と遊技領域の取付部または盤面飾りの取付部とが、球反発体の取付姿勢を変更することで、複数の球反発面の１つを交換して使用し得る、対称形に形成されれば、１つの球反発体を複数回の取付姿勢で長期間使用することができるという利点がある。また、球反発体が遊技盤の取り付けられる遊技機枠の開閉可能で閉じられた前面パネルに接触する受部を備えれば、球反発体が球からの衝撃を受けても位置ずれすることがないという利点がある。
【発明を実施するための最良の形態】
【０００６】
図１および図２は第１実施形態である。図１は、遊技盤１と球反発体１６との取付構造を示す。図２は、遊技盤１の正面を示す。
【０００７】
図２を参照し、パチンコ機の遊技盤１について説明する。遊技盤１は、ベニヤのような合板からなる方形の遊技基板２の一表面に化粧シート３を接着剤で接着した形態である。化粧シート３は、硝酸繊維系合成樹脂からなる無色な板状の表層体の裏面に図柄や機種名などの意匠盤面層を印刷で形成し、当該意匠盤面層の裏面にケント紙のような定着紙を接着剤で結合した形態である。よって、定着紙が遊技基板２の一表面に接着剤で結合されることで、化粧シート３が遊技基板２と結合して遊技盤１の意匠盤面を形成する。遊技盤１の意匠盤面には、ガイドレール４が取り付けられることで、ガイドレール４で囲まれた内側が遊技領域Ａとして形成される。ガイドレール４は、ステンレスからなる帯板状の外レール５と、ステンレスからなる帯板状の内レール６との２つの部品により形成される。
【０００８】
外レール５と内レール６との間の隙間は、遊技盤１の取り付けられる遊技機枠に設けられた発射機構から発射された球を遊技領域Ａに誘導する発射通路７である。発射通路７以外の遊技領域Ａには、一般入賞部品８、始動入賞部品９、可変入賞部品１０、アウト口１１、風車１２、センター飾り１３、図柄表示器１４、サイドランプ１５、球反発体１６、障害釘とも呼ばれる遊技釘１７などの遊技部品が設けられる。球反発体１６は、外レール５と内レール６との境目に、遊技盤１の前側から着脱可能に取り付けられる。遊技盤１におけるガイドレール４から外側の非遊技領域には盤面飾り１８が釘や木ねじなどの固着具１９で取り付けられる。図２における符号Ｐは球である。球Ｐは矢印Ｘ１の方向に向けて飛んでいく。
【０００９】
図１を参照し、遊技盤１と球反発体１６との取付構造について説明する。図１のａ図に示すように、遊技盤１には、取付部としての複数の凹部２１が、遊技領域Ａの前面から遊技盤１の内部に窪む形態に形成される。球反発体１６は、ゴムまたは弾性合成樹脂のような弾性を有する材料からなる部材である。球反発体１６は、複数の凸部２２を通る中心線Ｌ１の上の中心Ｂを対象軸とした回転対称形であって、中心線Ｌ１を挟んで平行に相対峙する２つの平行側面２３；２４と、１つの平行側面２３から球反発体１６の一端側に行くにしたがって徐々に中心線Ｌ１の方向に近づくように傾斜する１つの傾斜側面２５と、もう１つの平行側面２４から球反発体１６の他端側に行くにしたがって徐々に中心線Ｌ１の方向に近づくように傾斜するもう１つの傾斜側面２６と、球反発体１６の他端側で平行側面２３と傾斜側面２６とを結ぶ１つの前側面２７と、球反発体１６の一端側で平行側面２４と傾斜側面２５とを結ぶ１つの後側面２８と、上面２９と、上面２９と平行な下面３０とからなる八面体になっている。２つの傾斜側面２５；２６は互いに平行になっている。球反発体１６の下面３０には、取付部としての複数の凸部２２が、球反発体１６の下面３０から遊技盤１の側に突出する形態に形成される。中心Ｂは、２つの凸部２２の間の中心に位置する。
【００１０】
図１のｂ図に示すように、遊技盤１の凹部２１の口径をＤ１とし、球反発体１６の凸部２２の外径をＤ２とすると、Ｄ１＜Ｄ２の関係を有する。遊技盤１の凹部２１における遊技領域Ａである前面からの深さをＨ１とし、球反発体１６の凸部２２における下面３０からの高さをＨ２とすると、Ｈ１＞Ｈ２の関係を有する。球反発体１６の上面２９と下面３０との間の厚さは、パチンコ機の遊技に遊技媒体として使用される球の直径の１／２以上の寸法を有する。けれども、球反発体１６の厚さは、遊技盤１が遊技機枠に交換可能に取り付けられ、この遊技盤１の前側が遊技機枠の光透過性の有るガラスや合成樹脂からなる無色の図１のｃ図に示す前面パネル３１で覆われた場合、球反発体１６の上面２９が前面パネル３１に接触しない範囲である。
【００１１】
図１のｃ図に示すように、第１実施形態の構造によれば、球反発体１６が遊技盤１に取り付けられる場合、凸部２２と凹部２１とが遊技領域Ａの前側から互いに結合されることで、球反発体１６が遊技領域Ａに着脱可能に取り付けられる。具体的には、凸部２２が遊技盤１の前側から凹部２１に圧入されることで、球反発体１６の下面３０が遊技領域Ａに接触し、凸部２２が凹部２１の内部で凸部２２における自身の径方向外側に復元する弾性で凹部２１の側面に突っ張るので、球反発体１６に対する遊技盤１の保持力を確保することができる。また、球反発体１６の取り付けられた遊技盤１が遊技機枠に交換可能に取り付けられ、この遊技盤１の前側が前面パネル３１で覆われた場合、球反発体１６の上面２９と前面パネル３１の裏面との間には隙間３２が形成される。隙間３２は、前面パネル３１と遊技領域Ａとの間で遊技領域Ａに飛び交う球の入らない寸法になっている。
【００１２】
第１実施形態の構造によれば、球反発体１６が球の直径の１／２以上の厚さを有するので、球反発体１６の遊技領域Ａからの突出寸法が、ガイドレール４に沿って発射されて遊技領域Ａに接触して遊技領域Ａを流れる図２に示す球Ｐの遊技領域Ａから最大径の外周部までの寸法よりも大きくなっている。よって、図２に示すように外レール５に沿って矢印Ｘ１の方向に流れる球Ｐが、遊技領域Ａに突出する球反発体１６の１つの平行側面２３により形成された球反発面に衝突しても、当該衝突した球Ｐが遊技盤１の前側に配置された前面パネル３１の側に跳ね返ることがなく、当該衝突した球Ｐが遊技領域Ａに接触したまま跳ね返るので、球Ｐの前面パネル３１への衝突を防止することができる。
【００１３】
第１実施形態の構造によれば、球反発体１６が汚れたり、または、球反発体１６の弾性が劣化したりしたことから、球反発体１６の取付姿勢を変更する場合、遊技盤１の取り付けられた遊技機枠の前面パネル３１を前側に開き、作業者が球反発体１６を手で掴んで前側に引くことで、遊技盤１のガイドレール４や盤面飾り１８および遊技領域Ａにおける意匠盤面に傷を付けずに、球反発体１６を遊技盤１から容易に取り外すことができる。その後、作業者が取り外した球反発体１６を手で持ち、それまで使用していた１つの平行側面２３である球反発面に代わり新しい球反発面としてもう１つの平行側面２４を入れ替えるように、球反発体１６の取付姿勢を遊技盤１の遊技領域Ａに沿う平面内で１８０度回転させ、球反発体１６の凸部２２を凹部２１に圧入することで、新しい球反発面である平行側面２４が球と衝突するように、球反発体１６が遊技盤１に取り付けられる。よって、球反発体１６の取付姿勢の交換も容易である。この場合、中心Ｂが２つの凸部２２の間の中心に位置しているので、平行側面２３；２４を球反発面として入れ替えた場合、遊技領域Ａに対する球反発面の位置が同じ位置になり、球反発体１６の球を跳ね返す形態が一様となる。
【００１４】
また、古い球反発体１６を新しい球反発体１６に交換する場合、遊技盤１の取り付けられた遊技機枠の前面パネル３１を前側に開き、作業者が古い球反発体１６を手で掴んで前側に引くことで、遊技盤１のガイドレール４や盤面飾り１８および遊技領域Ａにおける意匠盤面に傷を付けずに、古い球反発体１６を遊技盤１から容易に取り外すことができる。その後、作業者が新しい球反発体１６を手で持ち、新しい球反発体１６の凸部２２を凹部２１に圧入することで、新しい球反発体１６が遊技盤１に取り付けられる。よって、球反発体１６の交換も容易である。
【００１５】
図３は、第２実施形態に係る、遊技盤１と球反発体１６との取付構造の断面を示す。図３のａ図に示すように、遊技盤１には、図１の凹部２１に相当する複数の釘３３が設けられる。球反発体１６における遊技領域Ａに接触される下面３０には、図１の凸部２２に相当する凹部３４が、球反発体１６の下面３０から内部に窪む形態に形成される。釘３３の胴体３５の外径をＤ３とし、球反発体１６の凹部３４の口径をＤ４とすると、Ｄ３＞Ｄ４の関係を有する。遊技盤１の釘３３における遊技領域Ａからの高さをＨ３とし、球反発体１６の凹部３４における下面３０からの深さＨ４とすると、Ｈ３＜Ｈ４の関係を有する。よって、図３のｂ図に示すように、作業者が球反発体１６を手で持ち、球反発体１６の凹部３４を遊技盤１の釘３３に圧入することで、球反発体１６の下面３０が遊技領域Ａに接触し、球反発体１６が遊技盤１に前側から着脱可能に取り付けられる。とりわけ、胴体３５の外径Ｄ３＞凹部３４の口径Ｄ４の関係を有するので、球反発体１６が遊技盤１に取り付けられた場合、凹部３４が遊技盤１の釘３３に沿って弾性変形し、球反発体１６の釘３３に対する保持力が高くなる。
【００１６】
図４は、第３実施形態に係る、遊技盤１と球反発体１６との取付構造の断面を示す。図４のａ図に示すように、遊技盤１には、図１の凹部２１に相当する複数の釘３７が設けられる。球反発体１６における遊技領域Ａに接触される下面３０には、図１の凸部２２に相当する取付孔３８が、球反発体１６の上・下面２９；３０に直線的に貫通する形態に形成される。釘３７の胴体３９の外径をＤ５とし、球反発体１６の取付孔３８の口径をＤ６とすると、Ｄ５＞Ｄ６の関係を有する。遊技盤１の釘３７における遊技領域Ａから頭部４０までの高さをＨ５とし、球反発体１６の取付孔３８における中心線方向の長さをＨ６とすると、Ｈ５＝Ｈ６の関係を有する。よって、図４のｂ図に示すように、作業者が球反発体１６を手で持ち、球反発体１６の取付孔３８を遊技盤１の釘３７に圧入することで、球反発体１６の下面３０が遊技領域Ａに接触し、球反発体１６が遊技盤１に前側から着脱可能に取り付けられる。
【００１７】
とりわけ、球反発体１６が遊技盤１に取り付けられた場合、釘３７の頭部４０が球反発体１６から上方に抜けて取付孔３８の回りにおける球反発体１６の上面２９に接触するので、球反発体１６が釘３７から抜けにくくなる。しかも、胴体３９の外径Ｄ５＞取付孔３８の口径Ｄ６の関係を有するので、球反発体１６が遊技盤１に取り付けられた場合、取付孔３８が遊技盤１の釘３７に沿って弾性変形し、球反発体１６の釘３７に対する保持力が高くなる。また、取付孔３８が球反発体１６の上・下面２９；３０に貫通する貫通孔として形成されているので、球反発体１６の上面２９が遊技領域Ａに接触したり、球反発体１６の下面３０が遊技領域Ａに接触したりするように、球反発体１６の上・下面２９；３０が入れ替わるように、球反発体１６の取付姿勢を入れ替えて使用することもできる。
【００１８】
図５は、第４実施形態に係る、遊技盤１と球反発体１６との取付構造の断面を示す。図５のａ図に示すように、盤面飾り１８には、遊技領域Ａに突出する取付部４２が設けられる。取付部４２は、盤面飾り１８の上部から側方に突出する。取付部４２と遊技領域Ａとの間には、球反発体１６を挿入するための空間部４３が形成される。取付部４２には、釘４６を挿入するための釘挿入孔４４が取付部４２の上面４２ａと下面４２ｂとに直線的に貫通する形態に形成される。球反発体１６には、取付部としての複数の取付孔４５が、球反発体１６の上面２９と下面３０とに直線的に貫通する形態に形成される。取付孔４５は、貫通孔でなく、球反発体１６の上面２９から内部に窪む形態であってもよい。そして、図５のｂ図に示すように、球反発体１６が遊技領域Ａの側から空間部４３に挿入されて盤面飾り１８の取付部４２の下部に潜り込ませられた後、釘４６が釘挿入孔４４から球反発体１６の取付孔４５に挿入されることで、球反発体１６の取付孔４５と盤面飾り１８の取付部４２とが遊技領域Ａの前側から互いに結合され、球反発体１６が遊技領域Ａに着脱可能に取り付けられる。
【００１９】
第４実施形態では、釘４６の胴体４７が盤面飾り１８の釘挿入孔４４または球反発体１６の取付孔４５に圧入されるように、釘４６の胴体４７の外径と盤面飾り１８の釘挿入孔４４の口径または球反発体１６の取付孔４５の口径とを形成すれば、釘４６の取付部４２からの脱落防止を図ることができる。また、釘４６を胴体４７に雄ねじの形成された木ねじのようなねじ釘または止ねじで形成すれば、ねじ釘または止ねじが頭部に工具挿入凹部を備えているので、当該工具挿入凹部にドライバーのような工具を差し込んで、ねじ釘または止ねじを取付部４２から着脱することができ、球反発体１６の交換が容易になる。図５のｃ図に示すように、盤面飾り１８の釘挿入孔４４の周りの取付部４２の上面２９に筒状のリブ４９を形成し、リブ４９よりも径方向外側に突出した釘４６の頭部４８と取付部４２との間の隙間５０に、ピンセットのような二股を有する工具を差し込み、当該工具で釘４６を取り外すようにしてもよい。
【００２０】
図６は、第５実施形態に係る、遊技盤１と球反発体１６との取付構造の断面を示す。図６のａ図に示すように、盤面飾り１８の取付部５１が盤面飾り１８にヒンジ５２で前後方向に開閉可能に設けられる。取付部５１には、複数の凸部５３が、取付部５１を遊技盤１の遊技領域Ａの側に閉じた場合の球反発体１６の上面２９から遊技領域Ａの側に突出する形態に形成される。球反発体１６の上面２９には、取付部５１としての複数の凹部５４が、球反発体１６の上面２９から内部に窪む形態に形成される。そして、取付部５１が前側に開かれ、球反発体１６が遊技領域Ａに配置される。その後、取付部５１が矢印Ｘ２の方向である遊技領域Ａの側に閉じられる。これによって、図６のｂ図に示すように、盤面飾り１８の凸部５３と球反発体１６の凹部５４とが互いに結合され、球反発体１６が遊技領域Ａに着脱可能に取り付けられる。第５実施形態では、取付部５１が遊技領域Ａの側に閉じられた場合、ヒンジ５２を回転が堅くなるように形成すれば、取付部５１の浮き上がり防止と球反発体１６の取付部５１からの脱落防止とを図ることができる。また、凸部５３の外径を凹部５４の口径よりも大きく形成し、凸部５３の取付部からの高さを凹部５４の深さよりも小さくすれば、凹部５４と凸部５３との嵌め合いが良好になる。
【００２１】
図７は、第６実施形態の球反発体１６の外観を示す。図７のａ図は球反発体１６が取付部５５を通る中心線Ｌ１を対称軸とした左右対称形であって、中心線Ｌ１を挟んで平行に相対峙する２つの平行側面２３；２４と、２つの平行側面２３；２４から一端に行くに従って中心線Ｌ１の方向に近付くように中心線Ｌ１を挟んで傾斜する２つの傾斜側面２５；２６と、球反発体１６の他端側で２つの平行側面２３；２４を結ぶ１つの前側面２７と、球反発体１６の一端側で２つの傾斜側面２５；２６を結ぶ１つの後側面２８と、上面２９と、下面３０とからなる八面体になっている。球反発体１６がこのような対称形に形成されれば、上・下面２９；３０を入れ替えて球反発体１６を使用することができる。
【００２２】
図７のｂ図は、球反発体１６の取付部５６と盤面飾り１８の取付部５７とを、三角形、四角形、五角形、それ以上の多角形に形成し、取付部５６；５７を単数にした簡素な構造である。図７のｃ図は、球反発体１６が円盤状であって、取付部５８が中心Ｂを中心とした１つの円周Ｌ２の上で円周Ｌ２の周方向に等分割された位置に設けられたことによって、球反発体１６が周方向に回転することと、球反発体１６が上・下面２９；３０を入れ替えることで、１個の球反発体１６の反発面を複数回入れ替えて使用することができる。図７のｄ図は、球反発体１６を四角形の短柱状に形成し、取付部５８を４個設けた場合である。図７のｅ図は、球反発体１６を三角形の短柱状に形成し、取付部５８を３個設けた場合である。図７のｆ図は、球反発体１６を楕円形の短円柱状に形成し、取付部５８を２個設けた場合である。図７における球反発体１６の取付部５５；５６；５７；５８は、図１の凸部２２、図３の凹部３４、図４の取付孔３８、図５の取付孔４５、図６の凹部５４のそれぞれに相当する。図７における盤面飾り１８の取付部５７は図１の凹部２１、図３の釘３３、図４の釘３７、図５の釘４６、図６の凸部５３のそれぞれに相当する。
【産業上の利用可能性】
【００２３】
球反発体１６の外周面に凹凸を形成してもよい。この場合、凹凸は凹凸の個々が個別に点在配置された形態であっても、凹凸が周方向に波形に連続し、その波形に連続した凹凸が球反発体１６の厚さ方向に条形状に延長してもよく、この条形状が周方向に旋回する形状であってもよい。また、図１のｃ図に仮想線で示すように、球反発体１６に受部５９を設け、受部５９が閉じられた前面パネル３１に接触すれば、球反発体１６が球からの衝撃を受けても位置ずれすることがない。このような受部５９を設けることで、球反発体１６の取付部と遊技盤１または盤面飾り１８の取付との嵌め合い形態が圧入でなく遊び嵌め形態でもよい。その理由は、球反発体１６が受部５９の接触した前面パネル３１と遊技盤１とで挟まれて前後方向に移動しないからである。なお、図５および図６における盤面飾り１８の取付部４２；５１が球反発体１６を覆う形態の場合、取付部４２；５１に受部５９が貫通し得る孔を形成すればよい。
【図面の簡単な説明】
【００２４】
【図１】遊技盤と球反発体との取付構造を示し、ａ図は分解斜視図、ｂ図は分解断面図、ｃ図は組立断面図。（第１実施形態）
【図２】遊技盤を示す正面図。（第１実施形態）
【図３】遊技盤と球反発体との取付構造を示し、ａ図は分解断面図、ｂ図は組立断面図。（第２実施形態）
【図４】遊技盤と球反発体との取付構造を示し、ａ図は分解断面図、ｂ図は組立断面図。（第３実施形態）
【図５】遊技盤と球反発体との取付構造を示し、ａ図は分解断面図、ｂ図は組立断面図、ｃ図はリブ周りの組立断面図。（第４実施形態）
【図６】遊技盤と球反発体との取付構造を示し、ａ図は分解断面図、ｂ図は組立断面図。（第５実施形態）
【図７】球反発体の種々の形態を示す斜視図。（第６実施形態）
【符号の説明】
【００２５】
１  遊技盤
４  ガイドレール
１６  球反発体
１８  盤面飾り
２１；３４；５４  凹部
２２；５３  凸部
３１  前面パネル
３３；３７；４６  釘
３８  取付孔
４２；５１；５５；５６；５７；５８  取付部
５９  受部
Ａ  遊技領域
Ｐ  球
【図１】
2005130936.tif 000003
【図２】
2005130936.tif 000004
【図３】
2005130936.tif 000005
【図４】
2005130936.tif 000006
【図５】
2005130936.tif 000007
【図６】
2005130936.tif 000008
【図７】
2005130936.tif 000009